(57)【特許請求の範囲】
【請求項１】
アプリケーションサーバおよび時刻サーバが通信ネットワークと接続し、前記アプリケーションサーバから時刻情報を必要とするサービスの提供を受けるユーザ端末が加入者終端装置および局側装置を介して前記通信ネットワークと接続し、前記時刻サーバと前記加入者終端装置の間で時刻同期を確立している通信システムであって、
前記加入者終端装置は、前記時刻サーバと同期した時刻で動作するタイマー手段を備え、予め定めた時刻を経過したか否かを前記タイマー手段からの時刻情報との比較で判断し、前記判断の結果に基づいて、前記アプリケーションサーバおよび前記ユーザ端末との間で送受信されるデータの転送を制御し、前記タイマー手段の少なくとも一部の機能を、前記アプリケーションサーバと前記ユーザ端末との間の通信経路にあって上位装置である前記局側装置からダウンロードしたプログラムより取得する、
ことを特徴とする通信システム。
【請求項２】
前記加入者終端装置は、前記ユーザ端末と前記アプリケーションサーバとの間のデータの送受信を制御する通信処理手段を備え、
前記通信処理手段は、前記タイマー手段からの時刻情報と予め定めた時刻との関係に基づいて、前記ユーザ端末からのデータを前記アプリケーションサーバに転送するか否か、および、前記アプリケーションサーバからのデータを前記ユーザ端末に転送するか否か、を判定する、
ことを特徴とする請求項１に記載の通信システム。
【請求項３】
前記加入者終端装置は、前記ユーザ端末と前記アプリケーションサーバとの間のデータの送受信を制御する通信処理手段を備え、
前記通信処理手段は、前記タイマー手段からの時刻情報を、前記ユーザ端末から前記アプリケーションサーバへ転送するデータに挿入する、
ことを特徴とする請求項１に記載の通信システム。
【請求項４】
前記加入者終端装置は、前記時刻サーバとの間で確立する時刻同期の精度を監視する同期監視手段を備え、
前記同期監視手段は、精度の劣化を検出した場合、前記アプリケーションサーバへ通知を行い、
前記アプリケーションサーバは、前記通知に基づいて、提供するサービスの運用を判断する、
ことを特徴とする請求項１，２または３に記載の通信システム。
【請求項５】
前記アプリケーションサーバは、前記時刻サーバとの間で時刻同期を確立し、前記時刻同期の精度を監視する同期状態判定手段を備え、
前記同期状態判定手段は、精度の劣化を検出した場合、検出結果に基づいて、提供するサービスの運用を判断する、
ことを特徴とする請求項１，２または３に記載の通信システム。
【請求項６】
アプリケーションサーバおよび時刻サーバが通信ネットワークと接続し、前記アプリケーションサーバから時刻情報を必要とするサービスの提供を受けるユーザ端末が加入者終端装置および局側装置を介して前記通信ネットワークと接続し、前記時刻サーバと前記加入者終端装置の間で時刻同期を確立している通信システムにおける時刻情報利用方法であって、
前記加入者終端装置は、前記時刻サーバと同期した時刻で動作するタイマー手段を備え、予め定めた時刻を経過したか否かを前記タイマー手段からの時刻情報との比較で判断する時刻判断ステップと、
前記加入者終端装置は、前記時刻判断ステップにおける判断結果に基づいて、前記アプリケーションサーバおよび前記ユーザ端末との間で送受信されるデータの転送を制御するデータ制御ステップと、
を含み、
前記加入者終端装置は、前記タイマー手段の少なくとも一部の機能を、前記アプリケーションサーバと前記ユーザ端末との間の通信経路にあって上位装置である前記局側装置からダウンロードしたプログラムより取得する、
ことを特徴とする時刻情報利用方法。
【請求項７】
前記データ制御ステップでは、前記時刻判断ステップにおける判断結果に基づいて、前記ユーザ端末からのデータを前記アプリケーションサーバに転送するか否か、および、前記アプリケーションサーバからのデータを前記ユーザ端末に転送するか否か、を判定する、
ことを特徴とする請求項６に記載の時刻情報利用方法。
【請求項８】
前記データ制御ステップでは、前記時刻判断ステップにおける判断結果に基づいて、前記タイマー手段からの時刻情報を、前記ユーザ端末から前記アプリケーションサーバへ転送するデータに挿入する、
ことを特徴とする請求項６に記載の時刻情報利用方法。
【請求項９】
前記加入者終端装置は、前記時刻サーバとの間で確立する時刻同期の精度を監視し、精度の劣化を検出した場合、前記アプリケーションサーバへ通知を行う、時刻同期精度監視ステップと、
前記アプリケーションサーバは、前記通知に基づいて、提供するサービスの運用を判断するサービス運用判断ステップと、
を含むことを特徴とする請求項６，７または８に記載の時刻情報利用方法。
【請求項１０】
前記アプリケーションサーバは、前記時刻サーバとの間で時刻同期を確立し、前記時刻同期の精度を監視し、精度の劣化を検出した場合、検出結果に基づいて、提供するサービスの運用を判断する時刻同期精度監視ステップ、
を含むことを特徴とする請求項６，７または８に記載の時刻情報利用方法。
【発明の詳細な説明】
【技術分野】
【０００１】
本発明は、時刻情報を利用する通信システムに関する。
【背景技術】
【０００２】
従来、高精度時刻同期プロトコルＩＥＥＥ（The  Institute  of  Electrical  and  Electronic  Engineers）１５８８規格では、複数のノードがネットワーク上で時刻情報を交換することにより、ネットワークに接続された複数のノード間で時刻情報を共有することが可能である。このＩＥＥＥ１５８８規格に準拠した各ノードは、隣接したノードから時刻情報を受信した際に通信経路の伝播遅延を考慮して時刻情報を補正し、時刻情報の伝播遅延による誤差の発生を防ぎ、高精度の同期を実現する。
【０００３】
例えば、下記特許文献１では、複数のユーザ局と１つの基地局を接続して構成される通信システム等において、基地局とユーザ局との間で時刻同期を取り、送信側へのデータ入力時刻をタイムスタンプ情報としてパケットに付加して転送し、受信側で受信パケットのタイムスタンプ値に基づいて出力タイミングを調整する技術が開示されている。
【０００４】
また、下記特許文献２では、パケット通信装置において、通信ポートへの入力時刻に関する情報をパケット信号に付加して送信する技術が開示されている。
【先行技術文献】
【特許文献】
【０００５】
【特許文献１】特開２０００−０６９０９３号公報（図１）
【特許文献２】特開２０１０−０１０９１０号公報（図２０）
【発明の概要】
【発明が解決しようとする課題】
【０００６】
しかしながら、上記従来の技術によれば、通信システムのユーザ側に正確な時刻情報を伝えるための手段や構成は示されているが、実際に正確な時刻情報を不正なく公平に利用するための手法が確立されていない。そのため、例えば、悪意のあるユーザが正確な時刻に対して故意にずらした時刻を用いて通信システム上のアプリケーションを操作しようとした場合に、その不正な操作を防ぐことができない、という問題があった。特に、電子取り引きやオークション等、情報通信システムを用いてある時刻を境に売買が開始されるようなケースにおいて顕在化すると考えられる。
【０００７】
本発明は、上記に鑑みてなされたものであって、ユーザ側の操作による不正な時刻情報の利用を防止可能な通信システムを得ることを目的とする。
【課題を解決するための手段】
【０００８】
上述した課題を解決し、目的を達成するために、本発明は、アプリケーションサーバおよび時刻サーバが通信ネットワークと接続し、前記アプリケーションサーバから時刻情報を必要とするサービスの提供を受けるユーザ端末が加入者終端装置および局側装置を介して前記通信ネットワークと接続し、前記時刻サーバと前記加入者終端装置の間で時刻同期を確立している通信システムであって、前記加入者終端装置は、前記時刻サーバと同期した時刻で動作するタイマー手段を備え、予め定めた時刻を経過したか否かを前記タイマー手段からの時刻情報との比較で判断し、前記判断の結果に基づいて、自装置を経由して送受信されるデータの有効化・無効化を制御する、ことを特徴とする。
【発明の効果】
【０００９】
本発明によれば、ユーザ側の操作による不正な時刻情報の利用を防止できる、という効果を奏する。
【図面の簡単な説明】
【００１０】
【図１】図１は、通信システムおよびネットワークの構成を示す図である。
【図２】図２は、通信システムを構成する各装置の構成例を示す図である。
【図３】図３は、実施の形態１に係る通信処理部の構成例を示す図である。
【図４】図４は、時刻情報を利用してサービスを提供するときの各装置の制御動作を示すフローチャートである。
【図５】図５は、実施の形態２に係る通信処理部の構成例を示す図である。
【発明を実施するための形態】
【００１１】
以下に、本発明にかかる通信システムの実施の形態を図面に基づいて詳細に説明する。なお、この実施の形態によりこの発明が限定されるものではない。
【００１２】
実施の形態１．
図１は、時刻情報を複数のユーザが共有するための仕組みを備えた通信システムおよびネットワークの構成を示す図である。通信システムは、時刻サーバ局１と、アプリケーションサーバ局２と、通信ネットワーク３と、加入者収容局４−１、４−２と、ユーザ宅５−１〜５−５と、から構成される。
【００１３】
時刻サーバ局１は、時刻同期を行う際に基準となる時刻情報を持ち、各ユーザ宅５−１〜５−５に設置される加入者終端装置およびアプリケーションサーバ局２に時刻情報を配信する時刻サーバを持つ。
【００１４】
アプリケーションサーバ局２は、ユーザＡ〜Ｅに対して通信ネットワーク３を介して何らかのサービスを提供する。アプリケーションサーバ局２は、サービスの提供にあたり、アプリケーションサーバ局２がユーザＡ〜Ｅへ送信するデータやユーザＡ〜Ｅからアプリケーションサーバ局２が受信するデータの送受信時刻を用いて処理を行うアプリケーションサーバを持つ。
【００１５】
加入者収容局４−１、４−２は、各ユーザ宅５−１〜５−５に設置されている複数の加入者終端装置を通信ネットワーク３に接続する。
【００１６】
ユーザ宅５−１〜５−５では、設置されている加入者終端装置がユーザ端末を収容する。加入者終端装置は、時刻サーバ局１から配信される時刻情報に基づいて時刻同期を行う機能を持つ。
【００１７】
時刻サーバ局１とアプリケーションサーバ局２の間、および時刻サーバ局１と各ユーザ宅５−１〜５−５内に設置された加入者終端装置の間における時刻同期については、先述のＩＥＥＥ１５８８規格などに基づいた処理を行えば実現可能である。既に同規格など公知の参考文書が存在するため、詳細な説明については省略する。
【００１８】
図１において、各ユーザＡ〜Ｅが有するユーザ端末は、それぞれ各ユーザ宅５−１〜５−５に設置された加入者終端装置を介して加入者収容局４−１または４−２にて通信ネットワーク３に接続され、通信ネットワーク３経由でアプリケーションサーバ局２および時刻サーバ局１と接続されている。この例では、ユーザＡ、Ｂ、Ｅが、アプリケーションサーバ局２の提供するサービスを受けている状態を示している。ユーザＡ、Ｂ、Ｅは、時刻同期機能を持った加入者終端装置をそれぞれユーザ宅５−１、５−２、５−５内に保有しており、各サーバ局からの距離等には無関係に加入者終端装置上の時刻が高精度で一致している。このため、上記サービスが時刻精度に非常に左右されるものであっても、公平にサービスを受けることができる。
【００１９】
公平性を保つ仕組みについて、さらに詳細に説明する。通信ネットワーク３を介したサービスである以上、アプリケーションサーバ局２とユーザ（ユーザ端末）間で何らかのデータ送受信が行われる。そのため、２つの伝送方向について伝送距離等による情報入出力の時間的な差異が表面化しない仕組みが必要となる。
【００２０】
まず、アプリケーションサーバ局２側からユーザ方向については、例えば、アプリケーションサーバ局２は、予め定めた時刻にならないと有効にならないような暗号鍵に基づいて暗号化したデータをユーザ方向へ送信する。加入者終端装置と、アプリケーションサーバ局２または加入者収容局４−１、４−２内の装置は、加入者終端装置内の時刻情報と関連付けた処理を行う。これにより、全てのユーザが情報を入手できる時刻を揃えることができる。
【００２１】
一方、ユーザ側からアプリケーションサーバ局２方向については、例えば、ユーザ側からのデータに時刻情報を打刻して出力し、加入者終端装置において時刻の妥当性を確認してからアプリケーションサーバ局２方向へ送信する。これにより、全てのユーザが情報を発信した時刻を公正に判断することが可能となる。
【００２２】
本実施の形態における加入者収容局４−１、４−２内の局側装置、加入者終端装置、ユーザ端末等の構成について説明する。図２は、通信システムを構成する各装置の構成例を示す図である。通信システムでは、時刻サーバ局１内に時刻サーバ１０を備え、アプリケーションサーバ局２内にアプリケーションサーバ２０を備え、加入者収容局４−１、４−２（図２では加入者収容局４と表す）内にそれぞれ局側装置４０を備え、ユーザ宅５−１〜５−５（図２ではユーザ宅５と表す）内にそれぞれ加入者終端装置５０およびユーザ端末６０を備える。
【００２３】
時刻サーバ１０は、時刻情報分配部１１を備える。また、アプリケーションサーバ２０は、同期状態判定部２１と、サービス運用部２２と、を備える。また、局側装置４０は、通信制御部４１と、Ｆ／Ｗ（ファームウエア）ダウンロード部４２と、タイマーアプリ４３と、を備える。また、加入者終端装置５０は、回線終端部５１と、通信処理部５２と、同期監視部５３と、時刻同期部５４と、Ｆ／Ｗ更新部５５と、タイマー機能５６と、ユーザＩＦ部５７と、を備える。また、ユーザ端末６０は、ＩＦ部６１と、通信回線処理部６２と、アプリケーション処理部６３と、を備える。
【００２４】
局側装置４０の通信制御部４１と加入者終端装置５０の回線終端部５１、および加入者終端装置５０のユーザＩＦ部５７とユーザ端末６０のＩＦ部６１は、それぞれの伝送方式に従ってデータ通信を行う機能を実装している。
【００２５】
加入者終端装置５０の時刻同期部５４と時刻サーバ１０の時刻情報分配部１１は、時刻同期を確立するための処理機能を実装している。
【００２６】
加入者終端装置５０の通信処理部５２は、上記の時刻同期のために必要な情報を抽出して時刻同期部５４に送信する。また、通信処理部５２は、その逆の処理を行って時刻サーバ１０の時刻情報分配部１１と通信する機能を備える。
【００２７】
局側装置４０のＦ／Ｗダウンロード部４２と加入者終端装置５０のＦ／Ｗ更新部５５は、加入者終端装置５０を動作させるためのＦ／Ｗを局側装置４０からダウンロードし、加入者終端装置５０にて自動的に更新する機能を備える。さらに、上記のＦ／ＷダウンロードおよびＦ／Ｗ更新機能を用いて、加入者終端装置５０内で時刻情報をユーザデータと関連付けて使用するためのタイマー機能５６を、局側装置４０からタイマーアプリ（プログラム）４３をダウンロードすることによって実現する。
【００２８】
ユーザ端末６０では、アプリケーション処理部６３にてサービスに応じたデータを解釈・生成し、通信回線処理部６２にて当該データの送受信処理等を行う。また、通信回線処理部６２は、データ送信の際、データ内に送信時刻を打刻する機能も備える。
【００２９】
つぎに、通信システムにおいて、実際のサービスを時間的に公平に提供するための動作について説明する。まず、アプリケーションサーバ２０内のサービス運用部２２は、提供サービスに応じた情報を各ユーザ宛に送信する。この情報を送信する方法については、当該サービスに参加しているユーザＡ、Ｂ、Ｅに同時に配信する方法（マルチキャスト転送）、個別に配信する方法（ユニキャスト転送）のいずれでもよい。このとき、同時に配信しても伝送経路長の差などから各ユーザが接続している加入者終端装置５０に同時に到着する保証はできない。
【００３０】
そのため、アプリケーションサーバ２０が配信する情報に対して、アプリケーションサーバ２０または局側装置４０において当該情報を暗号化して送信し、ユーザ端末６０まで転送する。暗号化した際の鍵情報については、アプリケーションサーバ２０または局側装置４０が加入者終端装置５０へ送信し、加入者終端装置５０の通信処理部５２が、タイマー機能５６からの時刻情報に基づいて、予め定めた時刻になったときにユーザ端末６０に鍵情報を転送する。なお、アプリケーションサーバ２０からの情報量が少なく、かつ繰り返し継続的に伝送されるような場合、通信処理部５２において、上記予め定めた時刻後に暗号を復号してユーザ端末６０に情報を転送してもよい。
【００３１】
一方、ユーザ端末６０からアプリケーションサーバ２０への情報転送については、加入者終端装置５０の通信処理部５２において、ユーザ端末６０からのデータに打刻された時刻情報が予め定められた時刻以降であることを確認する。通信処理部５２は、適合しないデータ、すなわち、予め定められた時刻より前のデータについては廃棄する動作を行う。
【００３２】
図３は、本実施の形態に係る通信処理部５２の構成例を示す図である。通信処理部５２は、時刻情報抽出部５２１と、時刻情報検査部５２２と、フィルタ部５２３と、を備える。時刻情報抽出部５２１は、ユーザ端末６０からのデータに打刻された時刻情報を抽出し、時刻情報検査部５２２に送信する。時刻情報検査部５２２は、その時刻情報とタイマー機能５６から入力された時刻とを比較して上記確認を行う。フィルタ部５２３は、確認結果に基づいて、設定時刻以降の時刻情報が打刻されたデータのみ転送する。
【００３３】
このように、タイマー機能５６を動作させるプログラムであるタイマーアプリ４３を上位装置である局側装置４０から加入者終端装置５０にダウンロードし、加入者終端装置５０は、タイマーアプリ４３を基に動作するタイマー機能５６を使用してユーザ端末６０へのデータ送受信を制御する。そのため、どのユーザも等しく、定められた時刻以降にサービスを受けることができる。また、加入者終端装置５０が、タイマー機能５６に基づいてユーザ端末６０からのデータの時刻情報を確認することにより、悪意のユーザによる不正行為を防ぐことができる。このように、加入者終端装置５０は、自装置を経由して送受信されるデータの有効化・無効化を制御しているといえる。
【００３４】
図４は、上記通信システムにおいて時刻情報を利用してサービスを提供するときの各装置の制御動作を示すフローチャートである。まず、局側装置４０は、加入者終端装置５０へタイマーアプリ４３をダウンロードし、加入者終端装置５０では、タイマー機能５６を取得する（ステップＳ１）。アプリケーションサーバ２０は、ユーザ端末６０へ提供するサービスに伴って送信するデータについて、自身または局側装置４０で暗号化してユーザ端末６０へデータを送信する（ステップＳ２）。加入者終端装置５０は、タイマー機能５６からの時刻情報に基づいて、予め定めた時刻になったかどうかを判断する（ステップＳ３）。加入者終端装置５０は、予め定めた時刻まで待機し（ステップＳ３：Ｎｏ）、予め定めた時刻になった場合（ステップＳ３：Ｙｅｓ）、ユーザ端末６０へ暗号化の際の鍵情報を送信する（ステップＳ４）。
【００３５】
本実施の形態に係る時刻情報利用方法は、個々のユーザに対して公平に時刻情報を利用したアプリケーション使用環境を提供することができる。「公平に」とは、例えば、ユーザが処理を行った時刻が早いほど取り扱いの順序が先になるような、「早いもの勝ち」的なサービスが通信システム上で提供される場合における、時間的な公平性を指すものとする。
【００３６】
なお、加入者終端装置５０が備えるタイマー機能５６について、局側装置４０からダウンロードしたタイマーアプリ４３から取得することとしたが、これに限定するものではない。例えば、加入者終端装置５０は、タイマー機能５６の少なくとも一部の機能を局側装置４０からダウンロードしたタイマーアプリ４３より取得するようにしてもよい。
【００３７】
以上説明したように、本実施の形態によれば、アプリケーションサーバおよび加入者終端装置が時刻サーバと時刻同期する通信システムにおいて、加入者終端装置は、アプリケーションサーバ側からの時刻情報に同期して動作するタイマー機能を、加入者終端装置の上位装置である局側装置からダウンロードして取得する。アプリケーションサーバまたは局側装置は、ユーザ端末へのデータを暗号化して送信し、加入者終端装置は、タイマー機能からの時刻情報に基づいて、予め定めた時刻になったかどうかを判断し、予め定めた時刻になった場合、ユーザ端末へ暗号化の際の鍵情報を送信することとした。これにより、各ユーザ端末では、定められた時刻以降に等しくサービスを受けることができる。
【００３８】
また、加入者終端装置は、タイマー機能の時刻情報と、ユーザ端末から送信されるデータに対して付加された時刻情報との差分を確認することとした。これにより、ユーザ端末からアプリケーションサーバ方向への上り送信においても、どのユーザも等しく、定められた時刻以降にデータの送信を行うことができ、等しくサービスを受けることができる。また、悪意のユーザによる不正行為を防ぐことができる。
【００３９】
実施の形態２．
実施の形態１では、ユーザ端末がデータに時刻情報を打刻してアプリケーションサーバ方向へ送信した。本実施の形態では、加入者終端装置が、ユーザ端末からの送信データに時刻情報を打刻する。実施の形態１と異なる部分について説明する。
【００４０】
通信システムおよびネットワークの構成、また通信システムを構成する各装置の機能ブロック構成は実施の形態１と同一である（図１、２参照）。実施の形態１との差異は、加入者終端装置５０の通信処理部５２における時刻チェックの方法のみである。ユーザ端末６０からアプリケーションサーバ２０への情報転送については、通信処理部５２において、ユーザ端末６０からのデータのうち時刻情報が必要なものを抽出して時刻情報を書き込み、他のデータと多重化して送信する動作を行う。
【００４１】
図５は、本実施の形態に係る通信処理部５２の構成例を示す図である。通信処理部５２は、特定データ抽出部５２４と、時刻情報挿入部５２５と、多重部５２６と、を備える。特定データ抽出部５２４は、ユーザ端末６０からのデータを抽出し、時刻情報挿入部５２５に送信する。時刻情報挿入部５２５は、タイマー機能５６から入力された時刻を当該データに挿入する。多重部５２６は、他データとの多重化処理を行ってサーバ方向に転送する。
【００４２】
このように、本実施の形態では、ユーザ端末から送信するデータに対して、加入者終端装置の通信処理部において時刻情報を打刻することとした。この場合においても、実施の形態１と同様の効果を得ることができる。
【００４３】
実施の形態３．
本実施の形態では、通信システム内で確立している時刻同期の精度を監視する方法について説明する。実施の形態１、２と異なる部分について説明する。
【００４４】
加入者終端装置５０では、時刻サーバ１０との間で確立する時刻同期の精度を監視する同期監視部５３を備えている。同期監視部５３は、時刻サーバ１０との間で時刻同期の精度の劣化を検出すると、アプリケーションサーバ２０へ通知を行う。アプリケーションサーバ２０は、加入者終端装置５０の同期監視部５３からの通知に基づいて、提供するサービスの運用についての判断を行う。例えば、時刻同期の精度が十分に取れていないと判断した場合、アプリケーションサーバ２０は、加入者終端装置５０と時刻サーバ１０との間で時刻同期の精度が回復するまで、サービスの提供を停止することができる。
【００４５】
また、アプリケーションサーバ２０は、時刻サーバ１０との間で時刻同期を確立し、さらに時刻同期の精度を監視する同期状態判定部２１を備えている。同期状態判定部２１は、時刻サーバ１０との間で時刻同期の精度の劣化を検出すると、その検出結果に基づいて、提供するサービスの運用についての判断を行う。例えば、時刻同期の精度が十分に取れていないと判断した場合、アプリケーションサーバ２０は、自身と時刻サーバ１０との間で時刻同期の精度が回復するまで、サービスの提供を停止することができる。
【００４６】
以上説明したように、本実施の形態によれば、加入者終端装置およびアプリケーションサーバは、時刻サーバとの間で確立している時刻同期の精度を監視することとした。これにより、通信システムでは、時刻同期の精度が劣化した場合は各ユーザに対して等しくサービスを提供することが保証できないとして、時刻同期の精度が回復するまで、サービスの提供を停止することができる。
【産業上の利用可能性】
【００４７】
以上のように、本発明にかかる通信システムは、アプリケーションサーバがユーザ端末へサービスを提供するシステムに有用であり、特に、各装置間で時刻同期を行う場合に適している。
【符号の説明】
【００４８】
１  時刻サーバ局
２  アプリケーションサーバ局
３  通信ネットワーク
４−１、４−２  加入者収容局
５−１〜５−５  ユーザ宅
１０  時刻サーバ
１１  時刻情報分配部
２０  アプリケーションサーバ
２１  同期状態判定部
２２  サービス運用部
４０  局側装置
４１  通信制御部
４２  Ｆ／Ｗダウンロード部
４３  タイマーアプリ
５０  加入者終端装置
５１  回線終端部
５２  通信処理部
５３  同期監視部
５４  時刻同期部
５５  Ｆ／Ｗ更新部
５６  タイマー機能
５７  ユーザＩＦ部
６０  ユーザ端末
６１  ＩＦ部
６２  通信回線処理部
６３  アプリケーション処理部
５２１  時刻情報抽出部
５２２  時刻情報検査部
５２３  フィルタ部
５２４  特定データ抽出部
５２５  時刻情報挿入部
５２６  多重部
【図１】
0006045163.tif 000002
【図２】
0006045163.tif 000003
【図３】
0006045163.tif 000004
【図４】
0006045163.tif 000005
【図５】
0006045163.tif 000006